(57)【要約】【課題】周囲が暗くなる場所においても、常に開閉扉に表示された情報表示を視認することのできる自動販売機を提供する。【解決手段】商品取出口１０の前面に設けられた透明板からなる開閉扉１２の背面にシボ加工により情報表示部１２ｃを形成するとともに、開閉扉１２の上端から光源１３によって光を照射することにより、開閉扉１２の上端から開閉扉１２内に入射した光の一部を情報表示部１２ｃによって前方に反射させて、情報表示部１２ｃが他の部分よりも明るく光るように見えるようにしたので、周囲が暗くなる場所においても常に情報表示部１２ｃを視認することができ、例えば夜間や消灯した屋内においても、情報の伝達及びサービスの向上を図ることができる。【選択図】図７
2006079162.tif 000002
【特許請求の範囲】
【請求項１】
外扉の前面に設けた所定の開口部を開閉する開閉扉を備え、開閉扉を透明板によって形成するとともに、その前面または背面には所定の文字または図柄からなる情報表示部を設けた自動販売機において、
前記開閉扉に対して所定方向から光を照射する光源を備え、
開閉扉の情報表示部を光源からの光を少なくとも前方に反射させるように形成した
ことを特徴とする自動販売機。
【請求項２】
前記情報表示部を、透明板の表面を文字または図柄に沿って粗面状に加工することにより形成した
ことを特徴とする請求項１記載の自動販売機。
【請求項３】
前記情報表示部を、文字または図柄に沿った形状をなす凸部または凹部によって形成するとともに、凸部または凹部の表面を粗面状に形成した
ことを特徴とする請求項１記載の自動販売機。
【請求項４】
前記情報表示部をシボ加工によって粗面状に形成した
ことを特徴とする請求項２または３記載の自動販売機。
【請求項５】
前記光源を開閉扉の上端側から光を照射するように配置するとともに、開閉扉の上端には光源から入射した光を開閉扉の下方及び側方に向って分散させる所定形状の切欠部を設けた
ことを特徴とする請求項１、２、３または４記載の自動販売機。
【請求項６】
前記開口部が商品取出口からなる
ことを特徴とする請求項１、２、３、４または５記載の自動販売機。
【請求項７】
前記開口部が硬貨返却口からなる
ことを特徴とする請求項１、２、３、４または５記載の自動販売機。
【発明の詳細な説明】
【技術分野】
【０００１】
本発明は、缶、ビン、ペットボトル、紙パック等に封入された飲料、或いは菓子類や小物雑貨等の商品を販売する自動販売機に関するものである。
【背景技術】
【０００２】
従来、この種の自動販売機としては、前面を開口した自動販売機本体と、自動販売機本体の前面を開閉する外扉とを備え、外扉には商品取出口及び硬貨返却口が設けられたものが知られている（例えば、特許文献１参照。）。
【特許文献１】特開平１０−１０５８０７号公報
【発明の開示】
【発明が解決しようとする課題】
【０００３】
ところで、前記商品取出口及び硬貨返却口の前面には透明板からなる開閉扉が設けられ、開閉扉を前後方向に開閉することにより、商品や釣り銭を取出すようになっている。また、開閉扉の前面には文字または図柄によって所定の情報を表示したステッカーを貼付け、使用者に対する情報の伝達及びサービスの向上を図っている。
【０００４】
しかしながら、前記ステッカーは周囲が暗くなると視認できなくなるため、夜間や消灯した屋内においては情報表示の目的を果たすことができないという問題点があった。
【０００５】
本発明は前記問題点に鑑みてなされたものであり、その目的とするところは、周囲が暗くなる場所においても、常に開閉扉に表示された情報表示を視認することのできる自動販売機を提供することにある。
【課題を解決するための手段】
【０００６】
本発明は前記目的を達成するために、外扉の前面に設けた所定の開口部を開閉する開閉扉を備え、開閉扉を透明板によって形成するとともに、その前面または背面には所定の文字または図柄からなる情報表示部を設けた自動販売機において、前記開閉扉に対して所定方向から光を照射する光源を備え、開閉扉の情報表示部を光源からの光を少なくとも前方に反射させるように形成している。
【０００７】
これにより、情報表示部が光源からの光を前方に反射することから、情報表示部が開閉扉の他の部分よりも明るく光るように見える。
【発明の効果】
【０００８】
本発明の自動販売機によれば、情報表示部が開閉扉の他の部分よりも明るく光るように見えるので、周囲が暗くなる場所においても常に開閉扉に表示された情報表示を視認することができ、例えば夜間や消灯した屋内においても、情報の伝達及びサービスの向上を図ることができる。
【発明を実施するための最良の形態】
【０００９】
図１乃至図７は本発明の第１の実施形態を示すもので、図１は自動販売機の全体斜視図、図２は自動販売機の全体側面断面図、図３は商品取出口の側面断面図、図４は開閉扉の正面図、図５は開閉扉の背面図、図６は開閉扉の要部斜視図、図７は開閉扉に光を照射した状態を示す概略図である。
【００１０】
この自動販売機は、前面を開口した自動販売機本体１と、自動販売機本体１の前面を開閉する外扉２と、自動販売機本体１内の商品収納庫を開閉する断熱性の内扉３とを備え、外扉２の前面には商品取出口１０が設けられている。
【００１１】
外扉２は自動販売機本体１の幅方向一端側に回動自在に取付けられ、その前面には商品サンプル２ａ、商品選択スイッチ２ｂ、金銭投入口２ｃ、硬貨返却口４０等が設けられている。
【００１２】
内扉３は商品取出口１０の後方に位置する商品搬出口３ａを有し、商品搬出口３ａには上側を回動自在に支持された搬出扉３ｂが設けられている。
【００１３】
商品取出口１０は、商品取出口本体１１と、商品取出口本体１１の前面を開閉する開閉扉１２とから構成されている。
【００１４】
商品取出口本体１１は内部が中空状に形成された箱状の容器からなり、その背面には商品搬入口１１ａを有し、商品搬出口３ａから搬出される商品を商品取出口本体１１内に搬入可能になっている。また、商品取出口本体１１の上端側には、開閉扉１２を取付けるための取付溝１１ｂが設けられている。
【００１５】
開閉扉１２は、商品取出口本体１１の前面を閉鎖可能に形成されたアクリル板等の透明な板状部１２ａと、その上端部を幅方向に挿通する取付シャフト１２ｂとからなり、開閉扉１２を閉鎖した状態においても、商品取出口１０内を視認可能になっている。取付シャフト１２ｂは商品取出口本体１１の取付溝１１ｂに回動自在に取付けられ、開閉扉１２が前後方向に開閉するようになっている。また、板状部１２ａの背面には、使用者に対する情報表示、例えば「ありがとうございました」の文字からなる情報表示部１２ｃがシボ加工によって粗面状に形成されている。さらに、板状部１２ａの上端には切欠部１２ｄが形成され、切欠部１２ｄの一部に下方に向かって半円状に形成された凹状切欠部１２ｅを有している。
【００１６】
また、商品取出口本体１１の上面から商品取出口本体１１内にＬＥＤ等の発光体からなる光源１３が挿入され、光源１３は開閉扉１２の凹状切欠部１２ｅ内に配置されている。
【００１７】
以上の構成においては、図４及び図５に示すように、光源１３から照射される光は開閉扉１２の凹状切欠部１２ｅから板状部１２ａの内部に入射する。その際、凹状切欠部１２ｅによって板状部１２ａ内に向かって光が分散し、図７に示すように、分散した光は板状部１２ａ内の下端面及び幅方向両端面から板状部１２ａの外部に透過する。この際、板状部１２ａの背面に形成された情報表示部１２ｃに光が入射すると、情報表示部１２ｃのシボ加工による複雑な凹凸によって光が乱反射し、その一部の光が開閉扉１２の前方に反射する。このため、情報表示部１２ｃが開閉扉１２の他の部分よりも明るく光るように見える。
【００１８】
このように、本実施形態によれば、商品取出口１０の前面に設けられた透明板からなる開閉扉１２の背面にシボ加工により情報表示部１２ｃを形成するとともに、開閉扉１２の上端から光源１３によって光を照射することにより、開閉扉１２の上端から開閉扉１２内に入射した光の一部を情報表示部１２ｃによって前方に反射させて、情報表示部１２ｃが他の部分よりも明るく光るように見えるようにしたので、周囲が暗くなる場所においても常に情報表示部１２ｃを視認することができ、例えば夜間や消灯した屋内においても、情報の伝達及びサービスの向上を図ることができる。
【００１９】
また、光源１３から照射された光が開閉扉１２の上端に設けられた凹状切欠部１２ｅによって開閉扉１２内に分散するようにしたので、開閉扉１２の情報表示部１２ｃの全体に亘って光を入射させることができ、情報表示部１２ｃの全体を均一に明るく光るように表示することができる。
【００２０】
尚、本実施形態では、板状部１２ａの上端から光を照射して光が板状部１２ａ内に入射するようにしたが、光源１３を板状部１２ａの背面から光を照射するように配置することも可能である。この場合は、光源１３から照射される光の大部分は板状部１２ａの背面によって商品取出口本体１１内側に反射するが、情報表示部１２ｃに入射した光は乱反射し、その一部の光が開閉扉１２の前方に反射する。このため、情報表示部１２ｃが開閉扉１２の他の部分よりも明るく光るように見える。
【００２１】
また、本実施形態では、情報表示部１２ｃを板状部１２ａの背面に形成したが、板状部１２ａの前面に形成した場合でも、前述と同様の効果が期待できる。さらに、情報表示部１２ｃを板状部１２ａの前面及び背面の両方に形成することも可能である。
【００２２】
図８乃至図１１は本発明の第２の実施形態を示すもので、図８は商品取出口の側面断面図、図９は情報表示部の要部側面断面図、図１０は開閉扉の背面図、図１１は開閉扉に光を照射した状態を示す概略図である。尚、第１の実施形態と同様の構成部分には同一の符号を付して示す。
【００２３】
本実施形態は第１の実施形態における開閉扉１２の変形例である開閉扉２０を示すものである。
【００２４】
開閉扉２０は、商品取出口本体１１の前面を閉鎖可能に形成されたアクリル板等の透明な板状部２０ａと、その上端部を幅方向に挿通する取付シャフト２０ｂとからなり、開閉扉２０を閉鎖した状態においても、商品取出口１０内を視認可能になっている。取付シャフト２０ｂは商品取出口本体１１の取付溝１１ｂに回動自在に取付けられ、開閉扉２０が前後方向に開閉するようになっている。また、板状部２０ａの背面には、使用者に対する情報表示、例えば「ありがとうございました」の文字からなる情報表示部２０ｃが文字に沿った凸部によって形成されるとともに、情報表示部２０ｃの周面にはシボ加工によって粗面部２０ｄが形成されている。
【００２５】
また、光源１３は商品取出口本体１１の上面から商品取出口本体１１内に挿入されて開閉扉２０の上方に配置され、板状部２０ａの背面から光を照射するようになっている。
【００２６】
以上の構成においては、図１１に示すように、光源１３から照射される光の大部分は板状部２０ａの背面によって商品取出口本体１１の内側に反射するが、板状部２０ａの背面に形成された情報表示部２０ｃ及び粗面部２０ｄに光が入射すると、情報表示部２０ｃ及び粗面部２０ｄによって光が乱反射し、その一部の光が開閉扉１２の前方に反射する。このため、情報表示部２０ｃが開閉扉２０の他の部分よりも明るく光るように見え、例えば、夜間や消灯した屋内においても、常に情報表示部２０ｃを視認することができる。
【００２７】
また、情報表示部１２ｃを板状部２０ａの背面に凸部によって形成したので、光源１３から板状部２０ａに光が斜めに照射される場合でも、情報表示部１２ｃの受光する面積が大きくなり、情報表示部２０ｃをより明るく光るように表示することができる。
【００２８】
尚、本実施形態では、情報表示部２０ｃの周面に粗面部２０ｄを形成したが、粗面部２０ｄを形成しない場合でも、文字に沿った凸部によって光を前方に反射させることにより、情報表示部２０ｃが開閉扉２０の他の部分より明るく光るように見える。
【００２９】
また、本実施形態では、板状部２０ａに情報表示部２０ｃを文字に沿った凸部によって形成したが、板状部材２０ａに情報表示部を文字に沿った凹部によって形成した場合でも、前述と同様の効果が期待できる。
【００３０】
尚、本実施形態では、光源１３を開閉扉１２の上方に配置したが、板状部１２ａの背面から光を照射することができる位置であれば、光源１３を他の位置に配置することもできる。
【００３１】
また、本実施形態では、情報表示部２０ｃを板状部２０ａの背面に形成したが、板状部２０ａの前面に形成した場合でも、前述と同様の効果が期待できる。さらに、情報表示部２０ｃを板状部２０ａの前面及び背面の両方に形成することも可能である。
【００３２】
図１２乃至図１４は本発明の第３の実施形態を示すもので、図１２は商品取出口の側面断面図、図１３は開閉扉の背面図、図１４は情報表示部の要部側面断面図である。尚、第１の実施形態と同様の構成部分には同一の符号を付して示す。
【００３３】
本実施形態は第１の実施形態における開閉扉１２の変形例である開閉扉３０を示すものである。
【００３４】
開閉扉３０は、商品取出口本体１１の前面を閉鎖可能に形成されたアクリル板等の透明な板状部３０ａと、その上端部を幅方向に挿通する取付シャフト３０ｂとからなり、開閉扉３０を閉鎖した状態においても、商品取出口１０内を視認可能になっている。取付シャフト３０ｂは商品取出口本体１１の取付溝１１ｂに回動自在に取付けられ、開閉扉３０が前後方向に開閉するようになっている。また、板状部３０ａの背面には、使用者に対する情報表示、例えば「ありがとうございました」の文字からなる情報表示部３０ｃが、文字に沿って設けられた複数の溝部３０ｄによって形成されている。ここで、各溝部３０ｄは断面が半円状の凹状部によって形成されるとともに、開閉扉１２の幅方向に延びるように設けられている。
【００３５】
また、光源１３は商品取出口本体１１の上面から商品取出口本体１１内に挿入されて開閉扉３０の上方に配置され、板状部３０ａの背面から光を照射するようになっている。
【００３６】
以上の構成においては、光源１３から照射される光の大部分は板状部３０ａの背面によって商品取出口本体１１の内側に反射するが、板状部３０ａの背面に形成された情報表示部３０ｃに光が入射すると、情報表示部３０ｃの各溝部３０ｄによって光が開閉扉３０の前方に反射する。このため、情報表示部３０ｃが開閉扉３０の他の部分よりも明るく光るように見え、例えば、夜間や消灯した屋内においても、常に情報表示部３０ｃを視認することができる。
【００３７】
尚、本実施形態では、各溝部３０ｄを断面が半円状の凹状部によって形成したが、断面が略三角形の凹状部によって形成することも可能である。
【００３８】
また、本実施形態では、光源１３を開閉扉１２の上方に配置したが、板状部３０ａの背面から光を照射することができる位置であれば、光源１３を他の位置に配置することもできる。
【００３９】
尚、本実施形態では、情報表示部３０ｃを板状部３０ａの背面に形成したが、板状部３０ａの前面に形成した場合でも、前述と同様の効果が期待できる。さらに情報表示部３０ｃを板状部３０ａの前面及び背面の両方に形成することも可能である。
【００４０】
図１５乃至図１７は本発明の第４の実施形態を示すもので、図１５は硬貨返却口本体の斜視図、図１６は開閉扉の斜視図、図１７は硬貨返却口本体に開閉扉を取付けた状態を示す斜視図である。
【００４１】
本実施形態は第１の実施形態における硬貨返却口４０に情報表示部を設ける場合を示すものである。
【００４２】
硬貨返却口４０は、硬貨返却口本体４１と、硬貨返却口本体４１の前面を開閉する開閉扉４２とから構成されている。
【００４３】
硬貨返却口本体４１は上面及び前面が開口された箱状の容器からなり、上面側に設けられる図示しない硬貨搬出口から搬出される硬貨を受容するようになっている。また、硬貨返却口本体４１の上端には、開閉扉４２を取付けるための取付溝４１ａが設けられている。
【００４４】
開閉扉４２は、硬貨返却口本体４１の前面を閉鎖可能に形成されたアクリル板等の透明な板状部４２ａと、その上端部に幅方向に挿通する取付シャフト４２ｂとからなり、開閉扉４２を閉鎖した状態においても、硬貨返却口４０内を視認可能になっている。取付シャフト４２ｂは硬貨返却口本体４１の取付溝４１ａに回動自在に取付けられ、開閉扉４２が前後方向に開閉するようになっている。また、板状部４２ａの背面には、使用者に対する情報表示、例えば「お釣りを忘れずに」の文字からなる情報表示部４２ｃがシボ加工によって粗面状に形成されている。
【００４５】
また、硬貨返却口本体４１の背面から硬貨返却口本体４１内にＬＥＤ等の発光体からなる光源４３が挿入され、板状部４２ａの背面に光を照射するようになっている。
【００４６】
以上の構成においては、図１７に示すように、光源４３から照射される光の大部分は板状部４２ａの背面によって硬貨返却口本体４１内に反射するが、板状部４２ａの背面に形成された情報表示部４２ｃに光が入射すると、情報表示部４２ｃによって光が乱反射し、その一部の光が開閉扉４２の前方に反射する。このため、情報表示部４２ｃが開閉扉４２の他の部分よりも明るく光るように見え、例えば、夜間や消灯した屋内においても常に情報表示部４２ｃを視認することができる。
【００４７】
尚、本実施形態では、情報表示部４２ｃを板状部４２の背面にシボ加工によって粗面状に形成したが、情報表示部を板状部４２の前面または背面に文字に沿った凸部または凹部を形成することによっても、情報表示部が開閉扉４２の他の部分よりも明るく光るように見える。さらに、凸部または凹部の表面をシボ加工によって粗面状に形成することにより、情報表示部をさらに明るく光るように表示することができる。
【００４８】
また、本実施形態では、光源４３を硬貨返却口本体４１の背面から硬貨返却口本体４１内に挿入したが、光源４３を硬貨返却口本体４１の側面または開口した上面から挿入することも可能である。さらに、光源４３を開閉扉４２の上端から光を照射するように配置し、開閉扉４２内に入射した光が情報表示部４２ｃによって乱反射して、その一部の光が開閉扉４２の前方に反射することにより、情報表示部４２ｃを明るく光るように表示することも可能である。
【００４９】
尚、本実施形態では、情報表示部４２ｃを板状部４２ａの背面に形成したが、板状部４２ａの前面に形成した場合でも、前述と同様の効果が期待できる。さらに、情報表示部４２ｃを板状部４２ａの前面及び背面の両方に形成することも可能である。
【図面の簡単な説明】
【００５０】
【図１】本発明の第１の実施形態を示す自動販売機の全体斜視図
【図２】自動販売機の全体側面断面図
【図３】商品取出口の側面断面図
【図４】開閉扉の正面図
【図５】開閉扉の背面図
【図６】開閉扉の要部斜視図
【図７】開閉扉に光を照射した状態を示す概略図
【図８】本発明の第２の実施形態を示す商品取出口の側面断面図
【図９】情報表示部の要部側面断面図
【図１０】開閉扉の背面図
【図１１】開閉扉に光を照射した状態を示す概略図
【図１２】本発明の第３の実施形態を示す商品取出口の側面断面図
【図１３】開閉扉の背面図
【図１４】情報表示部の要部側面断面図
【図１５】本発明の第３の実施形態を示す硬貨返却口本体の斜視図
【図１６】開閉扉の斜視図
【図１７】硬貨返却口本体に開閉扉を取付けた状態を示す斜視図
【符号の説明】
【００５１】
１…自動販売機本体、２…外扉、３…内扉、１０…商品取出口、１１…商品取出口本体、１２…開閉扉、１２ａ…板状部、１２ｂ…取付シャフト、１２ｃ…情報表示部、１２ｄ…切欠部、１２ｅ…凹状切欠部、１３…光源、２０…開閉扉、２０ａ…板状部、２０ｂ…取付シャフト、２０ｃ…情報表示部、２０ｄ…粗面部、３０…開閉扉、３０ａ…板状部、３０ｂ…取付シャフト、３０ｃ…情報表示部、３０ｄ…溝部、４０…硬貨返却口、４１…硬貨返却口本体、４２…開閉扉、４２ａ…板状部、４２ｂ…取付シャフト、４２ｃ…情報表示部、４３…光源。
【図１】
2006079162.tif 000003
【図２】
2006079162.tif 000004
【図３】
2006079162.tif 000005
【図４】
2006079162.tif 000006
【図５】
2006079162.tif 000007
【図６】
2006079162.tif 000008
【図７】
2006079162.tif 000009
【図８】
2006079162.tif 000010
【図９】
2006079162.tif 000011
【図１０】
2006079162.tif 000012
【図１１】
2006079162.tif 000013
【図１２】
2006079162.tif 000014
【図１３】
2006079162.tif 000015
【図１４】
2006079162.tif 000016
【図１５】
2006079162.tif 000017
【図１６】
2006079162.tif 000018
【図１７】
2006079162.tif 000019